(57)【特許請求の範囲】
【請求項１】
端面にボスを備えたローターのダコンを処理するボス付きローターのダコン処理具において、ブロック状であって均一の厚みを有する複数の砥石と、前記複数の砥石を収容する円盤とから構成されるとともに、前記円盤が、ローターのボスを収容するボス収容部と、前記複数の砥石を面一に固定して収容する砥石収容部とを備え、前記ボスを前記ボス収容部に収容したときに前記端面が前記複数の砥石に当接するように構成し、前記ボス収容部と前記砥石収容部とは隔壁により隔離されていることを特徴とするボス付きローターのダコン処理具。
【請求項２】
端面にボスを備えたローターのダコンを処理するボス付きローターのダコン処理方法において、ブロック状であって均一の厚みを有する複数の砥石と、前記複数の砥石を収容する円盤とから構成されるとともに、前記円盤が、ローターのボスを収容するボス収容部と、前記複数の砥石を面一に固定して収容する砥石収容部とを備え、前記ボスを前記ボス収容部に収容したときに前記端面が前記複数の砥石に当接するように構成し、前記ボス収容部と前記砥石収容部とは隔壁により隔離されているダコン処理具を回転テーブル上に載置して固定し、前記ボスを前記ボス収容部に収容した状態で上方から押えながら前記回転テーブルを回転させることによって前記端面を研磨することを特徴とするボス付きローターのダコン処理方法。
【発明の詳細な説明】
【０００１】
【発明の属する技術分野】
本発明は、ボス付きローターのダコンを取り除くボス付きローターのダコン処理具及びダコン処理方法に関する。
【０００２】
【発明が解決しようとする課題】
ボス付きローターの一例を図５に示す。51は内接型オイルポンプ用のインナーローターであり、インナーローター51はその中心部に中心孔52を有し、外周部には外歯53を有する。そして、インナーローター51の一側の端面54には、中心孔52から連設したボス55が突出して設けられている。なお、このインナーローター51の他側の端面56にはボスは設けられず、全面が平坦になっている。
【０００３】
このインナーローター51を粉末冶金により製造する場合は、まず、金属を主原料とする原料粉末を圧縮して圧粉体を成形した後、この圧粉体を加熱して焼結することによって所定形状の焼結体を形成する。つぎに図６に示すように、一側の端面54とボス55の外径をアンギュラー研削（工程１）し、他側の端面56をロータリー研削（工程２）する。そして、これらの研削によって生じたバリをバレル研磨（工程３）によって取り除く。このバレル研磨によりダコンが発生するため、ダコン処理工程（工程４）においてオイルストーンを用いて、ボス55側の端面54と反対側の端面56をそれぞれ研磨することによってこのダコンを取り除くことが一般的に行われている。
【０００４】
そして、従来、ボス55が突出した一端の端面54を研磨する際はボス55が邪魔になることから、図７に示すように、ボス55の外形よりもやや広い間隔をおいて固定された平行な２本のオイルストーン61の上にインナーローター51の端面54を下に向けて載置し、インナーローター51を上から抑えるとともに、回転させながら前後に動かすことによって端面54を研磨していた。
【０００５】
しかし、インナーローター51を回転させながら前後に動かしながら研磨をする場合、かなりの労力と時間を要するともに、均一な力で上から抑えなければならず、ともすれば端面54に研磨むらが生じてしまう虞があった。さらに、ボス55の外周面を誤って研磨してしまう虞もあった。
【０００６】
本発明は、このような問題点を解決しようとするもので、ボス付きローターのボスが突出した端面のダコンを簡単にむらなく取り除くことができ、誤ってボスの外周を研磨することを防止できるボス付きローターのダコン処理具及びダコン処理方法を提供することを目的とする。
【０００７】
【課題を解決するための手段】
請求項１のボス付きローターのダコン処理具は、前記目的を達成するために、端面にボスを備えたローターのダコンを処理するボス付きローターのダコン処理具において、ブロック状であって均一の厚みを有する複数の砥石と、前記複数の砥石を収容する円盤とから構成されるとともに、前記円盤が、ローターのボスを収容するボス収容部と、前記複数の砥石を面一に固定して収容する砥石収容部とを備え、前記ボスを前記ボス収容部に収容したときに前記端面が前記複数の砥石に当接するように構成し、前記ボス収容部と前記砥石収容部とは隔壁により隔離されているものである。
【０００８】
ボス付きローターのボスを前記ボス収容部に収容して前記ローターの端面が前記複数の砥石に当接した状態で、ボス付きローターを上方から押えながら前記ダコン処理具を回転させることによって、ボス付きローターのボスが突出した端面のダコンを簡単にむらなく取り除くことができる。また、砥石がボスの外周に当接し、誤ってボスの外周を研磨することを防止できる。
【０００９】
また、請求項２のボス付きローターのダコン処理方法は、端面にボスを備えたローターのダコンを処理するボス付きローターのダコン処理方法において、ブロック状であって均一の厚みを有する複数の砥石と、前記複数の砥石を収容する円盤とから構成されるとともに、前記円盤が、ローターのボスを収容するボス収容部と、前記複数の砥石を面一に固定して収容する砥石収容部とを備え、前記ボスを前記ボス収容部に収容したときに前記端面が前記複数の砥石に当接するように構成し、前記ボス収容部と前記砥石収容部とは隔壁により隔離されているダコン処理具を回転テーブル上に載置して固定し、前記ボスを前記ボス収容部に収容した状態で上方から押えながら前記回転テーブルを回転させることによって前記端面を研磨するものである。
【００１０】
回転テーブル上に前記ダコン処理具を載置して固定してボス付きローターのボスを前記ボス収容部に収容し、前記ローターの端面が前記複数の砥石に当接した状態でボス付きローターを上方から押えながら前記回転テーブルを回転させることによって、前記ダコン処理具を簡単にかつ確実に回転させることができるとともに、ボス付きローターのボスが突出した端面のダコンを簡単にむらなく取り除くことができる。また、砥石がボスの外周に当接し、誤ってボスの外周を研磨することを防止できる。
【００１１】
【発明の実施形態】
以下、本発明のボス付きローターのダコン処理具の第１実施形態について、図１〜図３を参照しながら説明する。ここで、本発明でいうローターとは、回転体を意味する。なお、本実施形態は、図５に示す内接型オイルポンプ用のインナーローター51のダコンを除去するために専用に用いられるものである。また、インナーローター51については既述のとおりであり、その説明は省略する。
【００１２】
１は本実施形態のダコン処理具であり、直方体のブロック状であって均一の厚みを有する複数の砥石たるオイルストーン２と、オイルストーン２を収容する金属製の円盤３とから構成されている。そして、円盤３の中央部には、ローターたるインナーローター51のボス55を収容するボス収容部４が形成され、このボス収容部４の周囲には複数のオイルストーン２を面一に固定して収容する砥石収容部５が形成されている。
【００１３】
ボス収容部４と砥石収容部５の間は円盤３と一体に設けられた円筒形の薄い隔壁たるリング部６によって区切られており、リング部６の内周面の径はボス55の外周面の径よりも僅かに大きく形成されている。また、ボス収容部４の底面７からのリング部６の内周面の高さは、ボス55の高さよりもやや低く、全周に亘って一定の高さに形成されている。そして、リング部６によって、ボス55が位置決めされるようになっている。
【００１４】
一方、砥石収容部５の底面８からのリング部５の外周面の高さは、オイルストーン２の高さよりも低く形成されている。そして、６つの同形状のオイルストーン２がこれらの一面がそれぞれリング部５の外周面に接するように、リング部５を取り囲むように接着剤などを用いて取替え可能に固定されている。
【００１５】
このように構成することによって、インナーローター51のボス55を下方に向けてボス収容部４に収容したときに、インナーローター51の端面54が６つのオイルストーン２の上面に当接するようになっている。また、リング部６によってボス55がオイルストーン２と隔離され、ボス55の外周を誤って研磨することを防ぐようになっている。
【００１６】
次に、上記ダコン処理具１を回転させるための回転テーブルの一例について説明する。21は回転テーブルであって、上部に載置台22が設けられている。ダコン処理具１の円盤３の下面周縁部に複数のネジ孔９が形成されるとともに、これらのネジ孔９に対応する載置台22の周縁部にはそれぞれネジ孔23が貫通して設けられ、ネジ24を載置台22の下面から螺着することによって載置台22上にダコン処理具１を載置して固定するようになっている。また、円盤３の下面の中央には円柱形の凹部10、載置台22の上面中央には凹部10に対応する形状の凸部25が設けられ、凸部25に凹部10を噛み合せることによって、載置台22の中央に正確にダコン処理具１を載置できるようになっている。
【００１７】
載置台22の中央下部には円柱形の軸部26が一体に設けられ、この軸部26の下部にはプーリ27が設けられている。また、軸部26は支持手段28によって、回動自在に支持されており、支持手段28は脚部29を介して作業台等に固定されている。そして、プーリ27をベルト（図示せず）と介してモータなどの回転装置（図示せず）に連結することによって、載置台22を回転できるように構成されている。
【００１８】
次に、前記ダコン処理具１を用いたダコン処理方法につき、説明する。はじめに、回転テーブル21の載置台22上にダコン処理具１を載置してネジ24を用いて固定する。そして、インナーローター51のボス55を下方に向けてボス収容部４に収容する。このとき、インナーローター51の端面54は、６つのオイルストーン２の上面に均一に当接している。この状態で切削液をオイルストーン２に供給しながらインナーローター51を上方から押え、モーターなどの回転装置（図示せず）の動力によって回転テーブル21を回転させる。すると、オイルストーン２が円盤３とともに回転しながらインナーローター51の端面54を均一に研磨し、端面54に付着したダコンが除去される。
【００１９】
このように本実施形態では、請求項１に対応して、端面54にボス55を備えたローターたるインナーローター51のダコンを処理するボス付きローターのダコン処理具において、ブロック状であって均一の厚みを有する複数の砥石たるオイルストーン２と、前記複数のオイルストーン２を収容する円盤３とから構成されるとともに、前記円盤３が、インナーローター51のボス55を収容するボス収容部４と、前記複数のオイルストーン２を面一に固定して収容する砥石収容部５とを備え、前記ボス55を前記ボス収容部４に収容したときに前記端面54が前記複数のオイルストーン２に当接するように構成したものであるから、ボス付きインナーローター51のボス55を前記ボス収容部４に収容して前記インナーローター51の端面54が前記複数のオイルストーン２に当接した状態で、ボス付きインナーローター51を上方から押えながらダコン処理具１を回転させることによって、ボス付きインナーローター１のボス55が突出した端面54のダコンを簡単にむらなく取り除くことができる。
【００２０】
また、このように本実施形態では、請求項２に対応して、請求項１において前記ボス収容部４と前記砥石収容部５とは隔壁たるリング部６により隔離されているものであり、オイルストーン２がボス55の外周に当接し、誤ってボス55の外周を研磨することを防止できる。
【００２１】
また、このように本実施形態では、請求項３に対応して、端面54にボス55を備えたローターたるインナーローター51のダコンを処理するボス付きローターのダコン処理具において、ブロック状であって均一の厚みを有する複数の砥石たるオイルストーン２と、前記複数のオイルストーン２を収容する円盤３とから構成されるとともに、前記円盤３が、インナーローター51のボス55を収容するボス収容部４と、前記複数のオイルストーン２を面一に固定して収容する砥石収容部５とを備え、前記ボス55を前記ボス収容部４に収容したときに前記端面54が前記複数のオイルストーン２に当接するように構成したダコン処理具１を回転テーブル21上に載置して固定し、前記ボス55を前記ボス収容部４に収容した状態で上方から押えながら前記回転テーブル21を回転させることによって前記端面54を研磨するものであるから、回転テーブル21上にダコン処理具１を載置して固定してボス付きインナーローター51のボス55を前記ボス収容部４に収容し、前記インナーローター51の端面54が前記複数のオイルストーン２に当接した状態でボス付きインナーローター51を上方から押えながら前記回転テーブル21を回転させることによって、前記ダコン処理具１を簡単にかつ確実に回転させることができるとともに、ボス付きインナーローター51のボス55が突出した端面54のダコンを簡単にむらなく取り除くことができる。
【００２２】
また、このように本実施形態では、請求項４に対応して、請求項３において前記ボス収容部４と前記砥石収容部５とは隔壁たるリング部６により隔離されているものであり、オイルストーン２がボス55の外周に当接し、誤ってボス55の外周を研磨することを防止できる。
【００２３】
また、本実施例ではブロック状のオイルストーン２を使用しており、特注のものを用意しなくとも既存のものを適宜切断して使用することができるので、簡便であり費用もかからない。さらに、オイルストーン２は接着剤などにより取替え可能に円盤２に固定されているので、磨耗時などにおける取替えが簡単である。
【００２４】
図４は本発明の第２実施形態を示し、上記第１実施形態と同一部分に同一符号を付し、その詳細な説明を省略して詳述すると、この例では、上記第１実施例で示したものよりも外径が小さいインナーローター51のダコン処理を行うためのダコン処理具１を示しており、オイルストーン２をインナーローター51の外径に合わせて小さくしたものである。また、ボス収容部４の大きさもボス55の大きさに合わせて形成されている。その他の構成は上記第１実施例と同様である。
【００２５】
このように本実施例では、オイルストーン２をインナーローター51の外形に合わせて小さくすることによって、オイルストーン２の使用量を最小限とすることができ、オイルストーン２に係る費用を節約できる。
【００２６】
なお、本発明は、前記実施形態に限定されるものではなく、種々の変形実施が可能である。例えば、内接型オイルポンプ用のインナーローター51のダコン処理を例にとって説明したが、その他のボス付きローターでもよい。また、使用する回転テーブルの形状に合わせて円盤３の下面の形状やネジ孔９の位置を変更してもよく、さらには回転テーブルへの固定方法を螺着以外の方法としてもよい。
【００２７】
【発明の効果】
請求項１のボス付きローターのダコン処理具は、端面にボスを備えたローターのダコンを処理するボス付きローターのダコン処理具において、ブロック状であって均一の厚みを有する複数の砥石と、前記複数の砥石を収容する円盤とから構成されるとともに、前記円盤が、ローターのボスを収容するボス収容部と、前記複数の砥石を面一に固定して収容する砥石収容部とを備え、前記ボスを前記ボス収容部に収容したときに前記端面が前記複数の砥石に当接するように構成し、前記ボス収容部と前記砥石収容部とは隔壁により隔離されているものであり、ボス付きローターのボスを前記ボス収容部に収容して前記ローターの端面が前記複数の砥石に当接した状態で、ボス付きローターを上方から押えながら前記ダコン処理具を回転させることによって、ボス付きローターのボスが突出した端面のダコンを簡単にむらなく取り除くことができる。また、砥石がボスの外周に当接し、誤ってボスの外周を研磨することを防止できる。
【００２８】
また、請求項２のボス付きローターのダコン処理方法は、端面にボスを備えたローターのダコンを処理するボス付きローターのダコン処理方法において、ブロック状であって均一の厚みを有する複数の砥石と、前記複数の砥石を収容する円盤とから構成されるとともに、前記円盤が、ローターのボスを収容するボス収容部と、前記複数の砥石を面一に固定して収容する砥石収容部とを備え、前記ボスを前記ボス収容部に収容したときに前記端面が前記複数の砥石に当接するように構成し、前記ボス収容部と前記砥石収容部とは隔壁により隔離されているダコン処理具を回転テーブル上に載置して固定し、前記ボスを前記ボス収容部に収容した状態で上方から押えながら前記回転テーブルを回転させることによって前記端面を研磨するものであり、回転テーブル上に前記ダコン処理具を載置して固定してボス付きローターのボスを前記ボス収容部に収容し、前記ローターの端面が前記複数の砥石に当接した状態でボス付きローターを上方から押えながら前記回転テーブルを回転させることによって、前記ダコン処理具を簡単にかつ確実に回転させることができるとともに、ボス付きローターのボスが突出した端面のダコンを簡単にむらなく取り除くことができる。また、砥石がボスの外周に当接し、誤ってボスの外周を研磨することを防止できる。
【図面の簡単な説明】
【図１】本発明の第１実施形態を示すボス付きローターのダコン処理具の上面図である。
【図２】同上、ボス付きローターを載置した状態を示す斜視図である。
【図３】同上、ダコン処理具を載置した回転テーブルの一例を示す部分断面図である。
【図４】本発明の第２実施形態を示すボス付きローターのダコン処理具の斜視図である。
【図５】ボス付きローターの一例を示す斜視図である。
【図６】ボス付きローターの加工工程を示す説明図である。
【図７】従来のボス付きローターのダコン処理方法を示す斜視図である。
【符号の説明】
１  ダコン処理具
２  オイルストーン（砥石）
３  円盤
４  ボス収容部
５  砥石収容部
６  リング部（隔壁）
21  回転テーブル
51  インナーローター（ローター）
54  端面
55  ボス
【図１】
0003829321.tif 000002
【図２】
0003829321.tif 000003
【図３】
0003829321.tif 000004
【図４】
0003829321.tif 000005
【図５】
0003829321.tif 000006
【図６】
0003829321.tif 000007
【図７】
0003829321.tif 000008